(57)【要約】【課題】生産工程を増やすことなく、優れた外観を呈し、かつ大きさに応じた使用時の便宜性を発揮可能な陶器製便器本体を提供する。【解決手段】本発明の陶器製便器本体１は、外周壁１ａの上端に接合された天部材５を備えている。天部材５は、略垂直上方に延びる外側壁５ａと、外側壁５ａの上端から内方へ略水平に延びる天壁５ｂとを少なくとも有している。また、天部材５は、外側壁５ａの上端に天壁５ｂの上面及び外周壁１ａの外面と連続する縁面５ｆをもつ取付壁５ｅを有している。外周壁１ａの上端は、外側で略水平をなす水平接合面１ｃと、内側で水平接合面１ｃと連続して下り傾斜をなす傾斜接合面１ｄとからなる。取付壁５ｅには水平接合面１ｃと接合される水平被接合面５ｉが形成され、外側壁５ａには傾斜接合面１ｄと接合される傾斜被接合面５ｊが形成されている。【選択図】図２
2008291596.tif 000002
【特許請求の範囲】
【請求項１】
床面に載置される外周壁と、
該外周壁内に位置し、便鉢を形成する便鉢壁と、
略垂直上方に延びる外側壁と、該外側壁の上端から内方へ略水平に延びる天壁とを少なくとも有し、該外周壁の上端に接合された天部材とを備えた陶器製便器本体において、
前記天部材は、前記外側壁の上端に前記天壁の上面及び前記外周壁の外面と連続する縁面をもつ取付壁を有し、
該外周壁の上端は、外側で略水平をなす水平接合面と、内側で該水平接合面と連続して下り傾斜をなす傾斜接合面とからなり、
該取付壁には該水平接合面と接合される水平被接合面が形成され、該外側壁には該傾斜接合面と接合される傾斜被接合面が形成されていることを特徴とする陶器製便器本体。
【請求項２】
前記天部材は、前記外側壁と、前記天壁と、前記取付壁と、該天壁の内端から略垂直下方に延びる内側壁と、該内側壁の下端から略水平に延び、該外側壁に接続された底壁とからなる請求項１記載の陶器製便器本体。
【請求項３】
前記外周壁の上部と前記便鉢壁の上端との間には略水平に延びる載置壁が備えられ、
前記天部材の前記底壁の下面は該載置壁の上面と接合されている請求項２記載の陶器製便器本体。
【発明の詳細な説明】
【技術分野】
【０００１】
本発明は陶器製便器本体に関する。
【背景技術】
【０００２】
特許文献１に従来の種々の陶器製便器本体が開示されている。これらの便器本体では、外周壁が床面に載置されている。また、便鉢壁が便鉢を形成しており、この便鉢壁の上部には便鉢の周方向に開く単一の吐水口が貫設されている。便鉢壁の少なくとも後方が外周壁内に位置している。図４に示すように、外周壁８１の上部と便鉢壁８２の上端との間には略水平に延びる載置壁８３が備えられている。また、これらの便器本体では、外周壁８１の上端に接合された天部材９０を備えており、便鉢壁８２の上面と天部材９０の下面とに囲まれたリム通水路８４が形成されている。
【０００３】
特許文献１の図１に開示された天部材９０は、略垂直上方に延びる外側壁９０ａと、外側壁９０ａの上端から内方へ略水平に延びる天壁９０ｂと、天壁９０ｂの内端から略垂直下方に延びる内側壁９０ｃと、内側壁９０ｃの下端から略水平に延び、外側壁９０ａに接続された底壁９０ｄとを有している。また、外側壁９０ａの上端には外方に延びる第１取付壁９０ｅが設けられている。第１取付壁９０ｅは天壁９０ｂの上面及び外周壁８１の外面と連続する縁面９０ｆをもっている。第１取付壁９０ｅの下面は外周壁８１の上端面と接合され、底壁９０ｄの下面は載置壁８３の上面と接合されている。
【０００４】
この種の天部材９０において、外側壁９０ａの下端に外側壁９０ａと連続して下方に延びる第２取付壁が設けられる場合もある。この場合、第２取付壁の下面が載置壁８３の上面と接合される。特許文献１の図２、図１１、図１２及び図１４に開示された天部材も同様である。特許文献１の図８、図１０及び図１３に開示された天部材は、第１取付壁が途中で下方に屈曲している点を除いて同様である。
【０００５】
また、特許文献１の図１７及び図１８に開示された天部材は、同様の外側壁、天壁及び第１取付壁と、天壁の内端から下方に延びつつ外側壁に接続された傾斜壁とからなる。第１取付壁の下面は外周壁の上端面と接合され、外側壁及び傾斜壁の下面が載置壁の上面と接合されている。
【０００６】
また、図５に示す天部材９１も公知である。この天部材９１は、略垂直上方に延びる外側壁９１ａと、外側壁９１ａの上端から内方へ略水平に延びる天壁９１ｂと、天壁９１ｂの内端から略垂直下方に延びる内側壁９１ｃと、内側壁９１ｃの下端から略水平に延び、外側壁９１ａに接続された底壁９１ｄとを有している。また、外側壁９１ａの上端には外方に延びる第１取付壁９１ｅが設けられている。第１取付壁９１ｅは天壁９１ｂの上面及び外周壁８１の外面と連続する縁面９１ｆをもっている。第１取付壁９１ｅの下面は外周壁８１の上端面と接合されている。この天部材９１は外側壁９１ａ、天壁９１ｂ、内側壁９１ｃ及び底壁９１ｄで囲まれた内部にリム通水路８４が構成される。このため、底壁９１ｄには適宜数の射水口８４ａが貫設されている。
【０００７】
図６に示す天部材９２も公知である。この天部材９２は、略垂直上方に延びる外側壁９２ａと、外側壁９２ａの上端から内方へ略水平に延びる天壁９２ｂと、天壁９２ｂの内端から略垂直下方に延びる内側壁９２ｃと、内側壁９２ｃの下端から略水平に延び、外側壁９２ａに接続された底壁９２ｄとを有している。外側壁９２ａの下面は外周壁８１の上端面と接合されている。この天部材９２も外側壁９２ａ、天壁９２ｂ、内側壁９２ｃ及び底壁９２ｄで囲まれた内部にリム通水路８４が構成される。このため、底壁９２ｄには適宜数の射水口８４ａが貫設されている。
【０００８】
図７に示す天部材９３も公知である。この天部材９３は、略垂直上方に延びる外側壁９３ａと、外側壁９３ａの上端から内方へ略水平に延びる天壁９３ｂと、天壁９３ｂの内端から略垂直下方に延びる内側壁９３ｃと、内側壁９３ｃの下端から略水平に延びた後に下方に湾曲し、外側壁９３ａに接続された底壁９３ｄとを有している。外側壁９３ａ及び底壁９３ｄの下面は外周壁８１の上端面と接合されている。便鉢壁８２の上端は略水平に延びて外周壁８１と接合されている。底壁９３ｄの下面及び便鉢壁８２の上端はリム通水路８４とされる。
【０００９】
これらの便器本体は一般に以下のように製造される。まず、排泥鋳込み成形法等により、複数個の素材が成形され、各素材に切削等の加工が施される。素材の一つは外周壁及び便鉢壁等となる本体素材であり、他の素材の一つは天部材となる天部材素材である。そして、各素材が接合され、成形体とされる。この成形体に釉薬が施されて施釉品とされ、施釉品が焼成されて便器本体が得られる。得られた便器本体は便器洗浄装置等とともに組み付けられ、洋風水洗式便器が構成される。この洋風水洗式便器において、便器洗浄装置から洗浄水が便鉢に吐水される。洗浄水は、便鉢内で旋回流となり、便鉢内の汚物とともに排出される。
【００１０】
【特許文献１】特開２００４−５２３２９号公報
【発明の開示】
【発明が解決しようとする課題】
【００１１】
しかし、上記従来の各便器本体は、生産工程が増えたり、外観上問題があったり、大きさに応じた使用時の便宜性が損なわれていたりしている。
【００１２】
すなわち、特許文献１開示の便器本体、例えば図４に示す便器本体では、焼成時に天部材９０がその荷重によって便鉢２側に傾斜しないよう、外側壁９０ａを載置壁８３で支持することとしている。このため、外側壁９０ａを外周壁８１と接合しておらず、外側壁９０ａと外周壁８１との間に間隙Ｃを生じている。このため、この便器本体は、成形体の焼成時に間隙Ｃが膨張して外周壁８１等に破損を生じないよう、間隙Ｃを外部に連通させる穴を別途設けなければならない。この場合、便器本体の生産工程が増えてしまう。
【００１３】
また、この便器本体では、載置壁８３が必要であるとともに、間隙Ｃによって内側面９０ｃの便鉢８０側の内面が無駄に内側に突出してしまうことから、便鉢８０の開口が狭い。この場合、たとえ便器本体を大きくしても、使用者は使用に不便を感じることとなる。
【００１４】
また、図５に示す便器本体においては、天部材９１の内部にリム通水路８４を形成していることから、天部材９１が大きくなり、外側壁９１ａと外周壁８１とを全て接合させることが困難である。このため、外側壁９１ａと外周壁８１との間に中空部を生じやすく、この中空部が焼成時に膨張して外周壁８１に破損が生じるおそれがある。このために中空部を例えば便鉢８０の内面に連通する間隙Ｃが必要になる。この場合、便器本体の大きさに応じた使用時の便宜性がやはり損なわれることとなる。
【００１５】
一方、図６及び図７に示す便器本体９２、９３においては、本体素材と天部材素材との接合ラインＬが便器本体９２、９３の上端近くにないために目立ち易く、外観の一層の向上が求められる。
【００１６】
本発明は、上記従来の実情に鑑みてなされたものであって、生産工程を増やすことなく、優れた外観を呈し、かつ大きさに応じた使用時の便宜性を発揮可能な陶器製便器本体を提供することを解決すべき課題としている。
【課題を解決するための手段】
【００１７】
本発明の陶器製便器本体は、床面に載置される外周壁と、
該外周壁内に位置し、便鉢を形成する便鉢壁と、
略垂直上方に延びる外側壁と、該外側壁の上端から内方へ略水平に延びる天壁とを少なくとも有し、該外周壁の上端に接合された天部材とを備えた陶器製便器本体において、
前記天部材は、前記外側壁の上端に前記天壁の上面及び前記外周壁の外面と連続する縁面をもつ取付壁を有し、
該外周壁の上端は、外側で略水平をなす水平接合面と、内側で該水平接合面と連続して下り傾斜をなす傾斜接合面とからなり、
該取付壁には該水平接合面と接合される水平被接合面が形成され、該外側壁には該傾斜接合面と接合される傾斜被接合面が形成されていることを特徴とする。
【００１８】
本発明の陶器製便器本体では、外周壁の傾斜接合面に天部材における外側壁の傾斜被接合面が接合されている。傾斜接合面は水平接合面と連続して下り傾斜をなしていることから、焼成時の天部材の荷重は、水平接合面及び水平被接合面ばかりでなく、傾斜接合面及び傾斜被接合面によっても支持され、天部材が便鉢側に傾斜することを防止可能である。
【００１９】
また、この便器本体では、外周壁の傾斜接合面と天部材における外側壁の傾斜被接合面とが接合されているため、これらの間に間隙を生じない。このため、この便器本体は、余分な穴を別途設ける必要がなく、生産工程を増やさない。
【００２０】
また、この便器本体においては、天部材の取付壁が天壁の上面及び外周壁の外面と連続する縁面をもっており、本体素材と天部材素材との接合ラインが目立ち難い。
【００２１】
さらに、この便器本体では、外側壁と外周壁との間に間隙がないことから、内側壁の便鉢側の内面が無駄に内側に突出せず、便鉢の開口を広く確保することが可能である。
【００２２】
したがって、本発明の陶器製便器本体は、生産工程を増やすことなく、優れた外観を呈し、かつ大きさに応じた使用時の便宜性を発揮可能である。
【００２３】
天部材は、外側壁と天壁と取付壁とを少なくとも有しておれば足りるが、外側壁と、天壁と、天壁の内端から略垂直下方に延びる内側壁と、取付壁と、内側壁の下端から略水平に延び、外側壁に接続された底壁とからなり得る。この場合、本発明の便器本体は、外周壁の上部と便鉢壁の上端との間に略水平に延びる載置壁が備えられておれば、天部材の底壁の下面は載置壁の上面と接合されていることが好ましい。この場合、焼成時の天部材の荷重が底壁の下面及び載置壁の上面でも支持され、天部材が便鉢側に傾斜することをより一層防止可能である。
【発明を実施するための最良の形態】
【００２４】
以下、本発明を具体化した実施例１、２を図面を参照しつつ説明する。
【実施例１】
【００２５】
実施例１の陶器製便器本体１は、図１に示すように、外周壁１ａが床面Ｆに載置されている。また、便鉢壁１ｂが便鉢２を形成しており、この便鉢壁１ｂの上部には便鉢２の周方向に開く単一の吐水口（図示せず）が貫設されている。便鉢壁１ｂの前方上部は、前方に略水平に延びて外周壁１ａと一体にされ、リム通水路４を構成している。また、便鉢壁１ｂの側方及び後方は外周壁１ａ内に位置し、便鉢壁１ｂの側方上部は側方に略水平に延び、便鉢壁１ｂの後方上部は後方に略水平に延びてやはりリム通水路４を構成している。また、この便器本体１では、外周壁１ａの上端に接合された天部材５を備えている。
【００２６】
この天部材５は、略垂直上方に延びる外側壁５ａと、外側壁５ａの上端から内方へ略水平に延びる天壁５ｂと、天壁５ｂの内端から略垂直下方に延びる内側壁５ｃと、内側壁５ｃの下端から略水平に延び、外側壁５ａに接続された底壁５ｄとを有している。また、外側壁５ａの上端外側には、天壁５ｂの上面及び外周壁１ａの外面と連続する縁面５ｆをもつ取付壁５ｅが設けられている。
【００２７】
外周壁１ａの上端は、図２に示すように、外側で略水平をなす水平接合面１ｃと、内側で水平接合面１ｃと連続して下り傾斜をなす傾斜接合面１ｄとからなる。また、取付壁５ｅには水平接合面１ｃと接合される水平被接合面５ｉが形成され、外側壁５ａには傾斜接合面１ｄと接合される傾斜被接合面５ｊが形成されている。
【００２８】
便器本体１は、図１に示すように、便鉢２の下端に形成された流入口２ａが便鉢２の裏面で後方に延びる上昇流路２ｂに連通している。上昇流路２ｂは設置時に流入口２ａより高い最高位部２ｃに位置する便器排水口２ｄまで延びている。便器本体１の後部には外周壁１ａで囲まれて上下が開放された収納空間１ｇが形成されている。便器排水口２ｄは、収納空間１ｇに向けて水平後方に開口している。収納空間１ｇ内では、便器排水口２ｄに図示しないパッキンを介して排水接続管１７が接続され、排水接続管１７は床面Ｆに立ち上げられた図示しない床排水管に接続されるようになっている。
【００２９】
この便器本体１は以下のように製造される。まず、排泥鋳込み成形法によって複数個の素材が成形され、各素材に切削等の加工が施される。素材の一つは外周壁１ａ及び便鉢壁１ｂ等となる本体素材であり、他の素材の一つは天部材５となる天部材素材である。そして、各素材が接合され、成形体とされる。この成形体に釉薬が施されて施釉品とされ、施釉品が焼成されて便器本体１が得られる。
【００３０】
こうして得られた便器本体１の収納空間１ｇ内には、前記排水接続管１７が収納されるとともに、便器洗浄装置１８が収納される。また、図示しない便座及び便蓋が便器本体１に装着される。こうして、洋風水洗式便器が構成される。
【００３１】
この洋風水洗式便器において、便器洗浄装置１８から洗浄水が便鉢２に吐水される。洗浄水は、便鉢２内で旋回流となり、流入口２ａ、上昇流路２ｂ、便器排水口２ｄ、排水接続管１７及び床排水管を経て、便鉢２内の汚物とともに排出される。
【００３２】
ここで、実施例１の便器本体１では、図２に示すように、外周壁１ａの傾斜接合面１ｄに天部材５における外側壁５ａの傾斜被接合面５ｊが接合されている。傾斜接合面１ｄは水平接合面１ｃと連続して下り傾斜をなしていることから、焼成時の天部材５の荷重は、水平接合面１ｃ及び水平被接合面５ｉばかりでなく、傾斜接合面１ｄ及び傾斜被接合面５ｊによっても支持され、天部材５が便鉢２側に傾斜することを防止可能である。
【００３３】
また、この便器本体１では、外周壁１ａの傾斜接合面１ｄと天部材５における外側壁５ａの傾斜被接合面５ｊとが接合されているため、これらの間に間隙を生じない。このため、この便器本体１は、余分な穴を別途設ける必要がなく、生産工程を増やさない。
【００３４】
また、この便器本体１においては、天部材５の取付壁５ｅが天壁５ｂの上面及び外周壁１ａの外面と連続する縁面５ｆをもっており、本体素材と天部材素材との接合ラインＬが目立ち難い。
【００３５】
すなわち、天部材素材と本体素材とには水平方向の段差が不可避的に生じ得る。その段差が便器本体１の上端近くにない場合には、接合ラインＬが目だってしまう。また、そのような段差は仕上げによっても、また釉薬によっても隠蔽し難い。ところが、この便器本体１においては、取付壁５ｅとなる天部材素材の部分と外周壁１ａとなる本体素材の部分とに仮に水平方向の段差が生じていても、その段差は便器本体１の上端近くであるため、接合ラインＬが目立たない。また、その段差は、天部材素材と本体素材とにおいて、天壁５ｂの上面を滑らかに仕上げることで、容易に解消可能である。さらに、その段差は天壁５ｂの上面及び外周壁１ａの外面と連続しているため、釉薬によって容易に隠蔽される。
【００３６】
さらに、この便器本体１では、外側壁５ａと外周壁１ａとの間に間隙がないことから、内側壁５ｃの便鉢２側の内面が無駄に内側に突出せず、便鉢２の開口を広く確保することが可能である。
【００３７】
したがって、実施例１の便器本体１は、生産工程を増やすことなく、優れた外観を呈し、かつ大きさに応じた使用時の便宜性を発揮可能である。
【実施例２】
【００３８】
実施例２の陶器製便器本体６は、図３に示すように、外周壁６ａの上部と便鉢壁６ｂの上部との間に略水平に延びる載置壁６ｇが備えられている。また、この便器本体６では、外周壁６ａの上端に接合された天部材７を備えている。載置壁６ｇの内側は、便鉢壁６ｂの上面と天部材７の下面とに挟まれたリム通水路９とされる。
【００３９】
この天部材７は、略垂直上方に延びる外側壁７ａと、外側壁７ａの上端から内方へ略水平に延びる天壁７ｂと、天壁７ｂの内端から略垂直下方に延びる内側壁７ｃと、内側壁７ｃの下端から略水平に延び、外側壁７ａに接続された底壁７ｄとを有している。また、外側壁７ａの上端外側には、天壁７ｂの上面及び外周壁６ａの外面と連続する縁面７ｆをもつ取付壁７ｅが設けられている。
【００４０】
外周壁６ａの上端は、外側で略水平をなす水平接合面６ｃと、内側で水平接合面６ｃと連続して下り傾斜をなす傾斜接合面６ｄとからなる。また、取付壁７ｅには水平接合面６ｃと接合される水平被接合面７ｉが形成され、外側壁７ａには傾斜接合面６ｄと接合される傾斜被接合面７ｊが形成されている。他の構成は実施例１と同様である。
【００４１】
この便器本体６では、天部材７の底壁７ｄの下面が載置壁６ｇの上面と接合されている。このため、焼成時の天部材７の荷重が底壁７ｄの下面及び載置壁６ｇの上面でも支持され、天部材７が便鉢２側に傾斜することをより一層防止可能である。他の作用効果は実施例１と同様である。
【００４２】
以上において、本発明を実施例１、２に即して説明したが、本発明は上記実施例１、２に制限されるものではなく、その趣旨を逸脱しない範囲で適宜変更して適用できることはいうまでもない。
【００４３】
例えば、天部材は、外側壁と、天壁と、取付壁と、天壁の内端から下方に延びつつ外側壁に接続された傾斜壁とからなることも可能である。この場合も、実施例２の便器本体６と同様、焼成時の天部材の荷重を傾斜壁の下面及び載置壁の上面で支持することができることから、天部材が便鉢側に傾斜することをより一層防止可能である。
【産業上の利用可能性】
【００４４】
本発明は洋風水洗式便器に利用可能である。
【図面の簡単な説明】
【００４５】
【図１】実施例１の洋風水洗式便器の一部模式の断面図である。
【図２】実施例１の便器本体の要部拡大断面図である。
【図３】実施例２の便器本体の要部拡大断面図である。
【図４】従来の便器本体の要部拡大断面図である。
【図５】従来の便器本体の要部拡大断面図である。
【図６】従来の便器本体の要部拡大断面図である。
【図７】従来の便器本体の要部拡大断面図である。
【符号の説明】
【００４６】
Ｆ…床面
１ａ、６ａ…外周壁
２…便鉢
１ｂ…便鉢壁
５、７…天部材
５ａ、７ａ…外側壁
５ｂ、７ｂ…天壁
１、６…陶器製便器本体
５ｆ、７ｆ…縁面
５ｅ、７ｅ…取付壁
１ｃ、６ｃ…水平接合面
１ｄ、６ｄ…傾斜接合面
５ｉ、７ｉ…水平被接合面
５ｊ、７ｊ…傾斜被接合面
５ｃ、７ｃ…内側壁
５ｄ、７ｄ…底壁
６ｇ…載置壁
【図１】
2008291596.tif 000003
【図２】
2008291596.tif 000004
【図３】
2008291596.tif 000005
【図４】
2008291596.tif 000006
【図５】
2008291596.tif 000007
【図６】
2008291596.tif 000008
【図７】
2008291596.tif 000009